(57)【要約】【課題】  操作設定ボタンが操作対象画像と重なった場合にも操作対象画像が隠れない表示装置、及びこの表示装置を備える画像形成装置を提供すること。【解決手段】  タッチパネルディスプレイを備える表示装置に、特定の表示オブジェクトをタッチパネル機能を用いたボタンとして機能させるためのタッチ領域解析部２１１，現表示画面管理部２１２及び指示解析部２１５と、タッチパネルディスプレイの予め定められた位置に表示オブジェクトを表示すると共に、当該特定の表示オブジェクトが他の表示オブジェクトと重なる場合には、当該特定の表示オブジェクトの内部を透過色で表示させる表示制御部２１３とを備える。【選択図】  図２
2006039469.tif 000002
【特許請求の範囲】
【請求項１】
タッチパネルディスプレイを備える表示装置であって、
前記タッチパネルディスプレイの予め定められた位置に表示オブジェクトを表示するオブジェクト表示手段と、
前記オブジェクト表示手段により表示される表示オブジェクトのうちの特定の表示オブジェクトを、タッチパネル機能を用いたボタンとして機能させる入力手段と、
前記特定の表示オブジェクトが他の表示オブジェクトと重なって表示される場合には、当該特定の表示オブジェクトの内部を透過色で前記タッチパネルディスプレイに表示させる制御手段とを備える表示装置。
【請求項２】
前記オブジェクト表示手段により表示される前記特定の表示オブジェクトはポップアップ表示された入力ボタンである請求項１に記載の表示装置。
【請求項３】
前記表示オブジェクトと重なった場合の前記特定の表示オブジェクトの透過度を、前記表示オブジェクトの種別に応じて記憶する透過度記憶手段を更に備え、
前記制御手段は、前記特定の表示オブジェクトが他の表示オブジェクトと重なる場合には、前記透過度記憶手段に記憶されている、当該他の表示オブジェクトの種別に応じた透過度の透過色で当該特定の表示オブジェクトの内部を表示する請求項１又は２に記載の表示装置。
【請求項４】
前記制御手段が前記特定の表示オブジェクトの内部を表示させる透過色の透過度を、ユーザが設定するための設定手段を更に備える請求項１〜３のいずれかに記載の表示装置。
【請求項５】
画像を形成する画像形成手段と、
請求項１〜４のいずれかに記載の表示装置を備える画像形成装置。
【請求項６】
前記他の表示オブジェクトは、前記画像形成手段により形成される画像のレイアウト表示である請求項５に記載の画像形成装置。
【発明の詳細な説明】
【技術分野】
【０００１】
本発明は、タッチパネルディスプレイを有する表示装置、及びこの表示装置を備える画像形成装置に関する。
【背景技術】
【０００２】
従来、複写機等の電気機器の操作部には、タッチパネルディスプレイを備えたものがある。特許文献１には、複写機等のタッチパネルディスプレイにおける階層的なポップアップボタンの表示についての記載がある。例えば複写機においてタッチパネルディスプレイに、複写画像のレイアウト表示等である操作対象の画像と、その操作対象に関する設定を行うための操作設定用のボタンとが同時に表示される場合がある（図４（ａ））。このように、操作対象の画像と操作設定用ボタンとを同時に表示することは、設定結果を即時に認識でき、操作性が向上される。しかし、十分画面の大きくないタッチパネルディスプレイが備えられている場合には、例えばボタンのポップアップ等により操作対象画像上に操作設定用ボタンが重なることがある。その場合には、操作設定用ボタンの表示が優先され、操作対象画像は操作設定用ボタンに隠される（図４（ｂ））。
【特許文献１】特開平１０−２５８５６２号公報
【発明の開示】
【発明が解決しようとする課題】
【０００３】
しかしながら、上記のように操作対象画像上に操作設定用ボタンが重なるような状況が発生すると現在の操作対象画像が確認できず、操作者は煩わしい思いをしていた。
【０００４】
本発明は、上記問題点に鑑みて成されたもので、操作設定ボタンが操作対象画像と重なった場合にも操作対象画像が隠れない表示装置、及びこの表示装置を備える画像形成装置を提供することを目的とする。
【課題を解決するための手段】
【０００５】
請求項１に係る表示装置は、タッチパネルディスプレイを備える表示装置であって、前記タッチパネルディスプレイの予め定められた位置に表示オブジェクトを表示するオブジェクト表示手段と、前記オブジェクト表示手段により表示される表示オブジェクトのうちの特定の表示オブジェクトを、タッチパネル機能を用いたボタンとして機能させる入力手段と、前記特定の表示オブジェクトが他の表示オブジェクトと重なって表示される場合には、当該特定の表示オブジェクトの内部を透過色で前記タッチパネルディスプレイに表示させる制御手段とを備えるものである。
【０００６】
この構成によれば、タッチパネルディスプレイ上に表示されたボタン（特定の表示オブジェクト）が他の表示オブジェクトと重なる場合には、前記ボタンを透過色で表示するため、重なり合ったボタンと他の表示オブジェクトの両方を見ることが可能となる。
【０００７】
請求項２に係る表示装置は、請求項１に記載の表示装置であって、前記オブジェクト表示手段により表示される前記特定の表示オブジェクトはポップアップ表示された入力ボタンであるものである。
【０００８】
この構成によれば、他の表示オブジェクトと重なることの多いポップアップされたボタンが他の表示オブジェクトと重なる場合に、前記ボタンを透過色で表示するため、重なり合ったボタンと他の表示オブジェクトの両方を見ることが可能となる。
【０００９】
請求項３に係る表示装置は、請求項１又は２に記載の表示装置であって、前記表示オブジェクトと重なった場合の前記特定の表示オブジェクトの透過度を、前記表示オブジェクトの種別に応じて記憶する透過度記憶手段を更に備え、前記制御手段は、前記特定の表示オブジェクトが他の表示オブジェクトと重なる場合には、前記透過度記憶手段に記憶されている、当該他の表示オブジェクトの種別に応じた透過度の透過色で当該特定の表示オブジェクトの内部を表示するものである。
【００１０】
この構成によれば、ボタンと重なる表示オブジェクトの種類に応じてボタンの透過度が変わるので、表示オブジェクトの透過の必要度に応じて透過度を変えることができる。
【００１１】
請求項４に係る表示装置は、請求項１〜３のいずれかに記載の表示装置であって、前記制御手段が前記特定の表示オブジェクトの内部を表示させる透過色の透過度を、ユーザが設定するための設定手段を更に備えるものである。
【００１２】
この構成によれば、ユーザの所望の透過度に透過度を設定することができる。
【００１３】
請求項５に係る画像形成装置は、画像を形成する画像形成手段と、請求項１〜４のいずれかに記載の表示装置を備えるものである。
【００１４】
この構成によれば、大きなタッチパネルディスプレイを備えにくい画像形成装置において、請求項１〜４の効果を奏することができる。
【００１５】
請求項６に係る画像形成装置は、請求項５に記載の画像形成装置であって、前記他の表示オブジェクトは、前記画像形成手段により形成される画像のレイアウト表示であるものである。
【００１６】
この構成によれば、画像形成装置のタッチパネルディスプレイに画像を表示させてその画像に対する設定（例えば、画像の表示レイアウトの設定）を行う場合に、請求項５の効果を奏することができる。
【発明の効果】
【００１７】
請求項１に記載の発明によれば、タッチパネルディスプレイ上に表示されたボタン（特定の表示オブジェクト）が他の表示オブジェクトと重なる場合には、前記ボタンを透過色で表示するため、重なり合ったボタンと他の表示オブジェクトの両方を見ることが可能となる。
【００１８】
請求項２に記載の発明によれば、他の表示オブジェクトと重なることの多いポップアップされたボタンが他の表示オブジェクトと重なる場合に、前記ボタンを透過色で表示するため、重なり合ったボタンと他の表示オブジェクトの両方を見ることが可能となる。
【００１９】
請求項３に記載の発明によれば、ボタンと重なる表示オブジェクトの種類に応じてボタンの透過度が変わるので、表示オブジェクトの透過の必要度に応じて透過度を変えることができる。
【００２０】
請求項４に記載の発明によれば、ユーザの所望の透過度に透過度を設定することができる。
【００２１】
請求項５に記載の発明によれば、大きなタッチパネルディスプレイを備えにくい画像形成装置において、請求項１〜４の効果を奏することができる。
【００２２】
請求項６に記載の発明によれば、画像形成装置のタッチパネルディスプレイに画像を表示させてその画像に対する設定（例えば、画像の表示レイアウトの設定）を行う場合に、請求項５の効果を奏することができる。
【発明を実施するための最良の形態】
【００２３】
以下、本発明の一実施形態における入力装置を備えた画像形成装置について図面を参照しながら説明する。図１は、本発明の一実施形態に係る表示装置を備えた画像形成装置の一例である複写機の内部構成を概略的に示す側面図である。複写機１は、本体部１ａと、本体部１ａの左方に配設されたスタックトレイ１ｂと、本体部１ａの上部に配設された原稿読取部１ｃと、原稿読取部１ｃの上方に配設された原稿給送部１ｄとを有している。
【００２４】
また、複写機１のフロント部には、画像形成装置１の備える入力装置の操作部としての表示装置２が設けられている。表示装置２は、タッチパネルディスプレイ２０を備えている。原稿読取部１ｃは、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを画像形成制御部（図示省略）へ出力する。また、原稿給送部１ｄにより給送された原稿を読み取るときは、原稿読取スリット５３と対向する位置に移動され、原稿読取スリット５３を介して原稿給送部１ｄによる原稿の搬送動作と同期して原稿の画像を取得し、その画像データを画像形成制御部へ出力する。
【００２５】
原稿給送部１ｄは、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２６】
また、原稿給送部１ｄは、その前面側が上方に移動可能となるように本体部１ａに対して回動自在に設けられている。原稿給送部１ｄの前面側を上方に移動させて原稿台５２上面を開放することにより、原稿台５２の上面に読み取り原稿、例えば見開き状態にされた書籍等を操作者が載置できるようになっている。
【００２７】
本体部１ａは、それぞれ用紙種（両面に印刷が可能な普通紙、片面のみに印刷が可能な再利用紙等）やサイズが異なる記録紙を収納する複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。なお、各給紙カセット４６１に収容されている用紙種及び用紙サイズは画像形成制御部に記憶されており、操作者が印刷に用いる用紙種を設定すると、その用紙種が収容されている給紙カセット４６１から記録紙が給紙されるようになっている。
【００２８】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ１ｂ又は排出トレイ４８まで搬送する搬送ローラ４６３，４６４等とを備える。
【００２９】
図２は、本実施形態における複写機１の機能構成を示すブロック図である。複写機１は、操作部としての表示装置２及び複写機本体部３を備える。ここで、複写機本体部３は、図１に示した複写機の表示装置２以外の部分全てである。複写機本体部３は、記録部４０を備える。表示装置２は、タッチパネルディスプレイ２０及び制御部２１を備える。制御部２１は、表示装置２を制御するもので、例えばＣＰＵ（中央処理装置）及びＲＡＭ（ランダムアクセスメモリ）、ＲＯＭ（リードオンリーメモリ）等からなる。タッチパネルディスプレイ２０は、表示装置に備えられるタッチパネル機能を備えるディスプレイである。図４は、タッチパネルディスプレイ２０の表示画面の一例である。タッチパネルディスプレイ２０には、例えばポップアップボタン２０１、一般ボタン（ポップアップしないボタン）２０２、及びその他の表示オブジェクト（例えば出力画像のレイアウト表示）２０３等が所定の位置に表示される。タッチパネルディスプレイ内全域にわたって複数の所定の位置に備えられたタッチセンサー群は、操作者によりタッチされたことを検知した場合には、その旨の信号を制御部２１に送信する。また、タッチパネルディスプレイ２０は、制御部から受信した画面データの表示画面をタッチパネルディスプレイ２０に表示する。
【００３０】
制御部２１は、タッチ領域解析部２１１、現表示画面管理部２１２、表示制御部２１３、ボタン透過度記憶部２１４、指示解析部２１５、表示画面記憶部２１６、及び表示画面決定部２１７を備える。タッチ領域解析部２１１は、タッチパネルディスプレイ２０の各タッチセンサーからタッチされた旨の信号を受信した場合に、そのタッチセンサーの備えられたタッチパネルディスプレイ内の位置から、タッチされた位置を取得し、その位置情報を現表示画面管理部２１２に送信する。現表示画面管理部２１２は、現在、タッチパネルディスプレイに表示されている画面の情報と、タッチ領域解析部２１１から受信したタッチされた領域とを比較し、タッチされた表示オブジェクト（例えばボタン）を特定し、その表示オブジェクトがボタン機能を有する表示オブジェクトであれば、その表示オブジェクトの識別情報を指示解析部２１５及び表示画面決定部２１７に送信する。現表示画面管理部２１２は、タッチパネルディスプレイに現在表示されている画面の情報を後述する表示制御部２１３から表示画面の更新毎に取得する。
【００３１】
指示解析部２１５は、タッチされたボタン（表示オブジェクト）の識別情報を現表示画面管理部２１２から受信した場合には、そのボタンがタッチされた場合に実行する処理の実行指示を、そのボタンに応じて複写機本体部３又はボタン透過度記憶部２１４に送信する。具体的には、タッチされた表示オブジェクトが複写機本体部３への設定又は実行に係るものであれば、複写機本体部３にそのボタンに係る実行指示を送信する。タッチされた表示オブジェクトがボタン透過度の設定に係るものであれば、後述するボタン透過度記憶部２１４にそのボタンに係る実行指示を送信する。
【００３２】
表示画面記憶部２１６は、タッチパネルディスプレイ２０に表示される（全ての遷移画面における）画面のデータ（画面データ）を記憶するものである。ここで、画面データとは、画面（タッチパネルディスプレイ２０）に表示される表示オブジェクト（ボタン等）の形や位置等を表すデータである。また、このデータは表示オブジェクトの種別（ポップアップされたボタン、一般のボタン、出力画像のレイアウト表示、その他のオブジェクト等）を含む。
【００３３】
表示画面決定部２１７は、タッチされたボタンの識別情報を現表示画面管理部２１２から受信した場合、及び画面を遷移させる旨の信号を複写機本体部３から受信した場合には、その表示オブジェクトがタッチされた場合に遷移する（タッチパネルディスプレイの）次の表示画面、又は複写機本体部３から受信した信号に応じた次の表示画面を選択し、この画面データを表示画面記憶部２１６から読み出して表示制御部２１３へ送信する。このために表示画面決定部２１７は画面遷移情報（例えば遷移条件と表示画面の関係を表すテーブル）を予め保持しておく。
【００３４】
ボタン透過度記憶部２１４は、タッチパネルディスプレイに表示されたボタンが他の表示オブジェクトと重なったことによりボタンを透過色で表示する場合の、重なった表示オブジェクトの種別に応じたボタンの透過度を示すボタン透過度情報を記憶しておくためのものである。この透過度はタッチパネルディスプレイ２０を用いて操作者が変更することができる。
【００３５】
表示制御部２１３は、表示画面決定部２１７から画面データを受信した場合に、リアルタイムに表示内容が決定される表示オブジェクト（例えば、出力画像のレイアウト表示や複写機本体部３からのメッセージデータ）がある場合には、その表示オブジェクトのデータ（例えば原稿の画像データ）を複写機本体部３から取得し、そのデータを画面データに合成する。また、表示制御部２１３は、画面データの表示オブジェクトの種別をチェックし、他の表示オブジェクトと重なっているボタンがある場合には（図４（ｃ）のポップアップされたボタン２０１ａ）、そのボタンと重なっている表示オブジェクトの種類に応じたボタンの透過度をボタン透過度記憶部２１４から読み出して、ボタンの透過色を決定する。ポップアップされたボタンと一般のボタンが重なった部分においては、ポップアップされたボタンをボタンとして扱う（ボタン機能を持たせる）こととする。
【００３６】
表示制御部２１３は、表示画面決定部２１７から画面データを受信した場合には、合成や透過色等の決定の完了した最終的な画面データを用いてタッチパネルディスプレイ２０の表示画面を更新する。また、表示制御部２１３は、更新した表示画面の画面データを現表示画面管理部２１２に送信する。
【００３７】
図３は、複写機１におけるタッチパネルディスプレイの表示制御の流れを示すフローチャートである。ステップＳ１では、タッチパネルディスプレイ２０において操作者によりタッチされた領域をタッチ領域解析部２１１が解析して、その位置情報を現表示画面管理部２１２に送信する。現表示画面管理部２１２は、受信した位置情報と、表示制御部２１３から受信した現在のタッチパネルディスプレイ２０の表示画面とを比較して、タッチされた表示オブジェクト（例えばボタン透過度を設定値を上下するための矢印ボタン）を取得し、その表示オブジェクトがボタン機能を有する表示オブジェクトであれば（ステップＳ１でＹＥＳ）、ステップＳ２へ進む。また、取得した表示オブジェクトがボタン機能を有する表示オブジェクトでなければ（ステップＳ１でＮＯ）、ステップＳ１に処理を戻す。
【００３８】
ステップＳ２では、現表示画面管理部２１２は、ボタン機能を有する表示オブジェクトの識別情報を指示解析部２１５及び表示画面決定部２１７に送信する。指示解析部２１５は、現表示画面管理部２１２から受信した表示オブジェクトの識別情報を確認してその表示オブジェクトがボタンの透過度の設定を変更するための矢印ボタンであるか否かをチェックし、矢印ボタンであれば（ステップＳ２でＹＥＳ）、ステップＳ３へ進む。ただし、この場合には、ボタンの透過度を変更する対象の表示オブジェクトの種別（一般のボタン、出力画像のレイアウト表示等）が既に選択されているものとする。ステップＳ３では、指示解析部２１５は、受信した矢印ボタンの情報（例えば上矢印又は下矢印）をボタン透過度記憶部２１４に送信する。ボタン透過度記憶部２１４は、指定された種別の表示オブジェクトに対するボタンの透過度を、矢印ボタンの向き（例えば上下）に合わせて、例えば上矢印であれば値をインクリメント、下矢印であれば値をデクリメントして変更する。
【００３９】
ステップＳ２の分岐において、タッチされたボタンがボタンの透過度変更のための矢印ボタンでなかった場合（ステップＳ２でＮＯ）、及びステップＳ３の処理が終了した場合には、ステップＳ４へ進む。ステップＳ４では、表示画面決定部２１７は、自身の保持する画面遷移情報を参照して次に表示する画面を、現表示画面管理部２１２から受け付けた識別情報に応じて選択し、その画面の画面データを表示画面記憶部２１６から読み出して表示制御部２１３に送信する。ステップＳ５では、表示制御部２１３は、受信した画面データに他の表示オブジェクトと重なるボタンがあるか否かをチェックし、ある場合には（ステップＳ５でＹＥＳ）、ステップＳ６へ進む。ステップＳ６では、表示制御部２１３は、そのボタンと重なる表示オブジェクトの種別を基にボタン透過度記憶部２１４からボタンの透過度を取得する。ただし、ポップアップされたボタンと一般のボタンとが重なり合う場合にはポップアップされたボタンのみにボタン機能を持たせる。
【００４０】
ステップＳ７では、表示制御部２１３は、表示オブジェクトに出力画像のレイアウト表示オブジェクトがあるか否かをチェックし、あれば（ステップＳ７でＹＥＳ）、ステップＳ８へ進む。ステップＳ８では、表示制御部２１３は、複写機本体部３から原稿の画像データを取得し、画面データに合成する。ステップＳ５の分岐において、他の表示オブジェクトと重なるボタンがない場合（ステップＳ５でＮＯ）、ステップＳ７の分岐において、出力画像のレイアウト表示の表示オブジェクトがない場合（ステップＳ７でＮＯ）、及びステップＳ８の処理が終了した場合には、ステップＳ９へ進む。ステップＳ９では、表示制御部２１３は合成等の完了した画面データによりタッチパネルディスプレイ２０の画面を更新する。
【００４１】
このように本実施形態によれば、タッチパネルディスプレイにおいて、ボタン機能を有する表示オブジェクトが他の表示オブジェクトと重なった場合には、そのボタンの内部が透過色で表示されるので、操作者は重なり合った表示オブジェクトとボタンの両方を同時に見ることができる。
【００４２】
なお、本発明は、上記実施形態のものに限定されるものではなく、以下に述べる態様を採用することができる。本実施形態においては、複写機の操作部として備えられるタッチパネルディスプレイを例にとって説明したが、本発明に係るタッチパネルディスプレイを備える機器は、複写機以外の、例えばプリンタやファクシミリ装置等の画像形成装置であってもよいし、その他の例えば家電等の電気機器であってもよい。
【００４３】
本実施形態においては、ボタンと重なり合った表示オブジェクトの種別に応じてボタンの透過度を変えるようにしたが、表示オブジェクトの種別によっては、完全に透過しないようにしてもよい。本実施形態においては、出力画像のレイアウト表示の表示オブジェクトがボタンと重なる場合に、ボタンを透過色にしたが、これは必ずしも出力画像のレイアウト表示オブジェクトである必要はなく、どのような表示オブジェクト（例えば他のボタン）であってもよい。
【図面の簡単な説明】
【００４４】
【図１】本発明の一実施形態における複写機の機械的構成を示す側面外略図である。
【図２】本発明の一実施形態における複写機の機能的構成を示すブロック図である。
【図３】本発明の一実施形態におけるタッチパネルディスプレイの表示処理の流れを示すフローチャートである。
【図４】本発明の一実施形態におけるタッチパネルディスプレイの表示画面例を示す図で、（ａ）はポップアップボタンがポップアップされていない状態、（ｂ）従来においてポップアップボタンがポップアップされた状態、（ｃ）本実施形態においてポップアップボタンがポップアップされた状態を示す図である。
【符号の説明】
【００４５】
１  複合機（画像形成装置）
２  表示装置
２０  タッチパネルディスプレイ（設定手段）
２１１  タッチ領域解析部（入力手段）
２１３  表示制御部（オブジェクト表示手段、制御手段）
２１４  ボタン透過度記憶部（透過度記憶手段）
４０  記録部（画像形成手段）
２０１〜２０３  表示オブジェクト
２０１，２０１ａ，２０２  ボタン
【図１】
2006039469.tif 000003
【図２】
2006039469.tif 000004
【図３】
2006039469.tif 000005
【図４】
2006039469.tif 000006